(57)【要約】      （修正有）【課題】一定の短いインターバルで繰り返される定型的作業の所要時間を計測する場合に、その都度タイマーのキー操作を行う面倒を解消すると同時に、タイマーのキー操作を怠って時間が計測できない事態が生ずるおそれも解消したタイマーを提供する。【解決手段】減算カウンタ８による設定時間のカウントダウンが終了したときにアラームを発生させると共に加算カウンタ９による経過時間のカウントアップを開始させ、その加算カウンタ９で一定の経過時間がカウントされたときにアラームを停止させると共に減算カウンタ８による設定時間のカウントダウンを自動的に再開させる制御装置１０を備えている。【選択図】図２
0003144715.tif 000002
【実用新案登録請求の範囲】
【請求項１】
タイマーの設定時間を分単位で設定する「分」キーと、タイマーの設定時間を秒単位で設定する「秒」キーと、タイマーの計時を開始させるスタートキーと、タイマーの計時を停止させるストップキーと、タイマーの設定時間や計時を表示する液晶ディスプレイとを装備したタイマーにおいて、スタートキーがオンされたときに減算カウンタによる設定時間のカウントダウンを開始させ、そのカウントダウンが終了したときにアラームを発生させると共に加算カウンタによる経過時間のカウントアップを開始させ、該加算カウンタで一定の経過時間がカウントされたときにアラームを停止させると共に前記減算カウンタによる設定時間のカウントダウンを自動的に再開させる制御装置を備えていることを特徴とするタイマー。
【請求項２】
前記制御装置が、前記「分」キーと前記「秒」キーが双方同時にオンされたときにタイマーをリセットし、そのリセット状態で前記スタートキーがオンされたときに前記加算カウンタによる経過時間のカウントアップを開始させてその経過時間を前記液晶ディスプレイにカウントアップ表示し、前記ストップキーがオンされたときに前記加算カウンタによる経過時間のカウントアップを停止させる請求項１記載のタイマー。
【請求項３】
前記「分」キーと「秒」キーの表面に、夫々漢字で「分」の文字と「秒」の文字が表示されると共に、前記液晶ディスプレイに、分単位を表す「分」の漢字フォントと、秒単位を表す「秒」の漢字フォントとが表示される請求項１又は２記載のタイマー。
【請求項４】
ＬＥＤ点滅ライトで成るアラームランプと、電子音発生器で成るアラーム音発生器とで、光と音の２種類のアラームを発生させる請求項１、２又は３記載のタイマー。
【請求項５】
前記スタートキーと前記ストップキーが、ワンプッシュごとにスタートキーとストップキーとに交互に切り換わる兼用キーで成る請求項１、２、３又は４記載のタイマー。
【考案の詳細な説明】
【技術分野】
【０００１】
本考案は、一定のインターバルで繰り返される定型的作業の所要時間を計測する場合等に好適なタイマーに関する。
【背景技術】
【０００２】
一般家庭において麺の茹で上がり時間などを計測するために使用される従来のキッチンタイマー（調理用タイマー）は、例えば図４の如く、外装ケース４１の正面に、タイマーの設定時間を分単位で設定する「分」キー４２と、秒単位で設定する「秒」キー４３と、ワンプッシュごとにタイマーの計時を開始させるスタートキーとタイマーの計時を停止させるストップキーとに交互に切り換わるスタート／ストップ兼用キー４４と、タイマーの設定時間とその計時をカウントダウン方式で表示する液晶ディスプレイ４５とが配設されたものが一般的である。なお、図４に示すタイマーは、外装ケース４１の正面に、殺菌作用を有する波長の紫外線やオゾン生成作用を有する波長の紫外線を放射する複数個の紫外線ランプ４６、４６…が設けられているが、一般のタイマーには、このような紫外線ランプ４６は設けられていない（特許文献１参照）。
【０００３】
上記タイマーによって例えば「３０分１５秒」の時間を計測するときは、液晶ディスプレイ４５の表示を見ながら、「分」キー４２を押して分単位の設定時間を図示の如く「３０分（Ｍ）」に設定すると共に、「秒」キー４３を押して秒単位の設定時間を「１５秒（Ｓ）」に設定する。そして、スタート／ストップ兼用キー４４を押すと、そのスタートキーがオンされて、液晶ディスプレイ４５に表示された設定時間「３０分１５秒」のカウントダウンが開始され、そのカウントダウンが終了して液晶ディスプレイ４５の表示が「００分００秒」になると、外装ケース４１の内部に設けられたブザーが作動して設定時間が経過したことを報せるアラーム音が発生し、次にスタート／ストップ兼用キー４４を押してそのストップキーがオンされると、ブザーの作動が停止してアラーム音が鳴り止むようになっている。
【０００４】
また、近時のキッチンタイマーは、設定時間「３０分１５秒」のカウントダウンが終了した後に、スタート／ストップ兼用キー４４を押してストップキーがオンされると、その設定時間「３０分１５秒」を自動的に再設定して液晶ディスプレイ４５に表示する機能を有しているので、前回と同じ設定時間を計測する場合は、その設定時間を「分」キー４２と「秒」キー４３とで改めて設定する面倒がなく、もう一度スタート／ストップ兼用キー４４を押してスタートキーをオンする操作のみで直ちに設定時間のカウントダウンを開始させることができるので、家庭用に限らず、飲食店などで、例えば餃子やハンバーグの焼き加減にバラツキが生ずることを防止するためにその焼き上がり時間を計測する業務用タイマーとしても使用されている。
【０００５】
しかし、上記の如き再設定機能を有するタイマーは、餃子やハンバーグを焼く際にその都度「分」キー４２と「秒」キー４３を操作して焼き上がり時間を一々設定する面倒はないものの、焼き始めるときに、スタート／ストップ兼用キー４４を押してスタートキーをオンし、焼き終わってから、その兼用キー４４を押してストップキーをオンし、次に焼き始めるときに、またその兼用キー４４を押してスタートキーをオンする操作を繰り返さなければならないので、餃子やハンバーグを一定の手順に従って焼き上げる定型的作業を数秒〜十数秒程度の短いインターバルで繰り返す餃子専門店やハンバーガーショップでは、タイマーのキー操作を頻繁に行わなければならず、非常に面倒であった。また、そのキー操作を失念したり、怠って、焼き上がり時間が計測できないこともあった。更に、水滴や調理用の油などが付着した手でタイマーのキー操作を頻繁に行うと、不衛生であるうえ、タイマーの汚損や故障を生ずるおそれもあった。
【特許文献１】特開２００１−２０８８７４号公報
【考案の開示】
【考案が解決しようとする課題】
【０００６】
本考案は、一定のインターバルで繰り返される定型的作業の所要時間を計測する場合に、その都度タイマーのキー操作を行う面倒を解消すると同時に、タイマーのキー操作を怠って時間を計測できない事態が生ずるおそれも解消することを技術的課題としている。
【課題を解決するための手段】
【０００７】
上記課題を解決するために、本考案は、タイマーの設定時間を分単位で設定する「分」キーと、タイマーの設定時間を秒単位で設定する「秒」キーと、タイマーの計時を開始させるスタートキーと、タイマーの計時を停止させるストップキーと、タイマーの設定時間や計時を表示する液晶ディスプレイとを装備したタイマーにおいて、スタートキーがオンされたときに減算カウンタによる設定時間のカウントダウンを開始させ、そのカウントダウンが終了したときにアラームを発生させると共に加算カウンタによる経過時間のカウントアップを開始させ、該加算カウンタで一定の経過時間がカウントされたときにアラームを停止させると共に前記減算カウンタによる設定時間のカウントダウンを自動的に再開させる制御装置を備えていることを特徴とする。
【考案の効果】
【０００８】
本考案のタイマーは、例えば一定のインターバルで繰り返す定型的作業の所要時間を「分」キーと「秒」キーで設定して、スタートキーをオンすると、設定時間のカウントダウンが開始され、そのカウントダウンが終了すると、アラームが発生して設定時間が経過したことを報知する。そして、一定時間が経過すると、アラームが停止して設定時間のカウントダウンが自動的に再開されるので、最初の作業を開始する際に一度だけスタートキーをオンすれば、以後タイマーのキー操作を行わなくとも、一定のインターバルで繰り返される定型的作業の所要時間を確実に計測することができる。したがって、作業の開始時、終了時、再開時にその都度タイマーのキー操作を行う面倒が解消されると同時に、タイマーのキー操作を怠って作業の所要時間が計測できなくなるおそれも解消されるという優れた効果がある。
【考案を実施するための最良の形態】
【０００９】
本考案によるタイマーの最良の実施形態は、プラスチックで成形された外装ケースの正面に、タイマーの設定時間を分単位で設定する「分」キーと、タイマーの設定時間を秒単位で設定する「秒」キーと、ワンプッシュでタイマーの計時を開始させるスタートキーとタイマーの計時を停止させるストップキーとに交互に切り換わるスタート／ストップ兼用キーと、タイマーの設定時間や計時を表示する液晶ディスプレイと、ＬＥＤ点滅ライトで成るアラームランプとが配設され、外装ケースの内部には、ピピピッという電子音を発生する電子音発生器で成るアラーム音発生器が設けられている。また、外装ケースは、その背面にタイマー取付用のマグネットが付設されている。
【００１０】
「分」キーと「秒」キーは、各々そのキーをワンプッシュするごとに数値が加算され、押し続けると高速で加算され、双方で最小１秒から最大９９分５９秒までの時間が設定できるようになっている。また、タイマーの操作に不慣れな高齢者や家庭の主婦でもタイマーで計測する時間を簡単かつ確実に設定できるようにするため、「分」キーと「秒」キーの表面に、夫々漢字で「分」の文字と「秒」の文字が印刷表示されると共に、液晶ディスプレイに、分単位を表す「分」の漢字フォントと、秒単位を表す「秒」の漢字フォントとが表示されるようになっている。また、両キーの近傍には、両キーを同時に押せばタイマーをリセットすることができる旨を示す「リセット」の文字が表示されている。
【００１１】
そして、外装ケースの内部には、「分」キーと「秒」キーとで設定された設定時間を液晶ディスプレイに表示させて、スタート／ストップ兼用キーのスタートキーがオンされたときに減算カウンタによる設定時間のカウントダウンを開始させ、そのカウントダウンが終了したときにアラームランプとアラーム音発生器を作動させて光と音の２種類のアラームを発生させると共に加算カウンタによる経過時間のカウントアップを開始させ、その加算カウンタによって例えば５秒あるいは１０秒等の一定の経過時間がカウントされたときにアラームを停止させると共に前記減算カウンタによる設定時間のカウントダウンを自動的に再開させるようにプログラムされたマイクロコンピュータで成る制御装置が設けられている。
【００１２】
これにより、５秒あるいは１０秒程度の短いインターバルで繰り返す定型的作業の所要時間を計測する場合は、その所要時間を「分」キーと「秒」キーで設定し、最初の作業を開始するときにスタート／ストップ兼用キーを押してそのスタートキーをオンするだけで、次の作業からは、タイマーのキー操作を行わなくとも作業の所要時間を確実に計測することができ、そのキー操作を怠って時間が計測できなくなるおそれもない。
【００１３】
また、上記制御装置は、「分」キーと「秒」キーとが双方同時にオンされたときにタイマーをリセットし、そのリセット状態でスタート／ストップ兼用キーを押してそのスタートキーがオンされたときに加算カウンタによる経過時間のカウントアップを開始させてその経過時間を液晶ディスプレイにカウントアップ表示し、次にスタート／ストップ兼用キーを押してそのストップキーがオンされたときに加算カウンタによる経過時間のカウントアップを停止させるようにプログラムされている。
【００１４】
これにより、本考案のタイマーは、「分」キーと「秒」キー３を双方同時に押せばストップウォッチとして使用することができるから、タイマーに設定すべき定型的作業の所要時間が不明であるときは、その所要時間をストップウォッチで正確に測定して、タイマーに適正な設定時間を設定することができる。
【実施例】
【００１５】
図１は本考案に係るタイマーの一例を示す正面図、図２はそのタイマーの要部の構成を示すブロック図、図３はそのタイマーの動作を説明するためのフローチャートである。
【００１６】
本例のタイマーは、プラスチック製外装ケース１の正面に、タイマーの設定時間を分単位で設定する「分」キー２と、秒単位で設定する「秒」キー３と、ワンプッシュごとにタイマーの計時を開始させるスタートキーとタイマーの計時を停止させるストップキーとに交互に切り換わるスタート／ストップ兼用キー４と、タイマーの設定時間や計時を表示する液晶ディスプレイ５と、ＬＥＤ点滅ライトで成るアラームランプ６とが配設され、外装ケース１の内部には、電子音発生器で成るアラーム音発生器７が設けられている。
【００１７】
「分」キー２と「秒」キー３は、夫々その表面に漢字で「分」の文字と「秒」の文字が表示され、両キー２、３の上方には、両キー２、３を同時に押せばタイマーがリセットされることを示す「リセット」の文字が表示されている。また、液晶ディスプレイ５には、図１の如く、分単位を表す「分」の漢字フォントと、秒単位を表す「秒」の漢字フォントとが表示されるようになっている。
【００１８】
そして、外装ケース１の内部には、スタート／ストップ兼用キー４を押してそのスタートキーがオンされたときに減算カウンタ８による設定時間のカウントダウンを開始させ、そのカウントダウンが終了したときにアラームランプ６とアラーム音発生器７を作動させて光と音の２種類のアラームを発生させると共に加算カウンタ９による経過時間のカウントアップを開始させ、その加算カウンタ９で例えば５秒あるいは１０秒等の一定の経過時間がカウントされたときにアラームランプ６とアラーム音発生器７の作動を停止させると共に減算カウンタ８による設定時間のカウントダウンを自動的に再開させるようにプログラムされたマイクロコンピュータで成る制御装置１０が設けられている。
【００１９】
更に、制御装置１０は、「分」キー２と「秒」キー３が双方同時にオンされたときにタイマーをリセットして、液晶ディスプレイ５の表示を「００分００秒」とし、そのリセット状態でスタート／ストップ兼用キー４を押してスタートキーがオンされたときに加算カウンタ９による経過時間のカウントアップを開始させると共に、その経過時間を液晶ディスプレイ５にカウントアップ表示させ、次にスタート／ストップ兼用キー４を押してストップキーがオンされたときに加算カウンタ９による経過時間のカウントアップを停止させるようにプログラムされている。
【００２０】
以下、制御装置１０で制御するタイマーの一連の動作を図３のフローチャートにより説明する。例えば図１の液晶ディスプレイ５に表示された如く、「分」キー２と「秒」キー３によって設定時間「２６分３０秒」が設定されると、ステップ（１）で、スタート／ストップ兼用キー４のスタートキーがオンされたか否かを判断し、スタートキーがオンされると、ステップ（２）に移行して、減算カウンタ８による設定時間のカウントダウンを開始させると同時そのカウントダウンを液晶ディスプレイ５に表示し、ステップ（３）で、設定時間のカウントダウンが終了したか否かを判断する。
【００２１】
そして、設定時間のカウントダウンが終了して液晶ディスプレイ５のカウントダウン表示が「００分００秒」になると、ステップ（４）に移行して、アラームランプ６とアラーム音発生器７を作動させると共に加算カウンタ９による経過時間のカウントアップを開始させ、ステップ（５）で、５秒あるいは１０秒等の一定の経過時間がカウントされたか否かを判断し、その一定の経過時間がカウントされると、ステップ（６）に移行して、アラームランプ６とアラーム音発生器７の作動を停止させると共に前回の設定時間「２６分３０秒」を再設定してその設定時間を液晶ディスプレイ５に表示し、次に、ステップ（２）に移行して、減算カウンタ８による設定時間「２６分３０秒」のカウントダウンを開始させる。
【００２２】
また、ステップ（１）において、スタート／ストップ兼用キー４のスタートキーがオンされていないと判断したときは、ステップ（７）に移行して、「分」キー２と「秒」キー３が双方同時にオンされたか否かを判断し、同時にオンされると、ステップ（８）に移行して、タイマーをリセットし、液晶ディスプレイ５の表示を「００分００秒」として、ステップ（９）に移行し、スタート／ストップ兼用キー４のスタートキーがオンされたか否かを判断する。
【００２３】
そして、スタート／ストップ兼用キー４のスタートキーがオンされると、ステップ（10）に移行して、加算カウンタ９による経過時間のカウントアップを開始させると同時にその経過時間を液晶ディスプレイ５にカウントアップ表示させ、ステップ（11）で、スタート／ストップ兼用キー４のストップキーがオンされたか否かを判断し、そのストップキーがオンされると、ステップ（12）に移行して、加算カウンタ９のカウントアップと液晶ディスプレイ５のカウントアップ表示を停止させる。
【００２４】
以上の如く構成された本例のタイマーは、一定の短いインターバルで繰り返す定型的作業を最初に開始するときにスタート／ストップ兼用キー４を押してそのスタートキーをオンすれば、次の作業からは、タイマーのキー操作を行わなくとも作業の所要時間を確実に計測することができるので、キー操作の面倒がないし、キー操作を怠って時間が計測できなくなるおそれもない。また、本例のタイマーは、「分」キーと「秒」キー３を双方同時に押せばストップウォッチに切り替わるので、タイマーに設定すべき定型的作業の平均的な所要時間をストップウォッチで正確に測定して、タイマーに適正な設定時間を設定することができる。
【００２５】
しかして、本例のタイマーを例えば餃子専門店で使用する場合は、まず、該タイマーをストップウォッチに切り替えて、熱したフライパン・餃子鍋に油を引いてから、一定個数の餃子を並べ、フライパン・餃子鍋に蓋をして餃子が焼き上がるまでの平均的な所要時間を測定する。そして、その所要時間が例えば「５分１０秒」であれば、その時間を「分」キーと「秒」キー３によってタイマーに設定する。これにより、餃子を最初に焼き始めるときにスタート／ストップ兼用キー４を押してそのスタートキーをオンすれば、以後はキー操作を行うことなく餃子の焼き上がり時間を計測することができる。また、本例のタイマーは、音によるアラームのみならず、光によるアラームも発生させるので、複数のタイマーを同時に使用する場合に、どのタイマーからアラームが発生しているかを確実に判別することができる。
【００２６】
なお、アラームランプ６とアラーム音発生器７の作動時間は、５秒あるいは１０秒等に限定されるものではないが、餃子の焼き時間が設定時間「５分１０秒」より数秒程度短くても長くても、その焼き上がり状態に大差は生じないので、餃子を焼き終わってから次に焼き始めるまでのインターバル時間と、タイマーのアラームが発生してから停止するまでの時間とが数秒程度違っていても支障は生じない。
【産業上の利用可能性】
【００２７】
本考案のタイマーは、一定のインターバルで繰り返す定型的作業の所要時間を計測するための業務用タイマーとして有用性が高いものである。
【図面の簡単な説明】
【００２８】
【図１】本考案に係るタイマーの一例を示す正面図
【図２】図１のタイマーの要部の構成を示すブロック図
【図３】図１のタイマーの動作を説明するためのフローチャート
【図４】従来のタイマーを示す正面図
【符号の説明】
【００２９】
１…外装ケース
２…「分」キー
３…「秒」キー
４…スタート／ストップ兼用キー
５…液晶ディスプレイ
６…アラームランプ
７…アラーム音発生器（電子音発生器）
８…減算カウンタ
９…加算カウンタ
１０…制御装置
【図１】
0003144715.tif 000003
【図２】
0003144715.tif 000004
【図３】
0003144715.tif 000005
【図４】
0003144715.tif 000006